(57)【要約】【課題】  上面中央部が開いており、箱体の周囲のみが閉じられた従来の包装用箱において、予め包装用箱の上面を閉じた状態で底面を上にしてそこから収納物を包装用箱に収納する時に、上面が閉じた状態を確実に維持する。【解決手段】  包装用箱は、側上フラップ４、４の両端側にタブ８、８を延設し、端上フラップ５、５の中央部分から折返しフラップ１０、１０を延設し、端パネル２、２の上部中央に箱体の内側に折り曲げ可能な押えタブ９、９を切り出している。箱体の上面側で前記側上フラップ４、４と前記端上フラップ５、５とを順次折り曲げて側上フラップ４、４の両端側とそのタブ８、８の上に端上フラップ５、５を重ねる。さらに、端上フラップ５、５から延設された折返しフラップ１０、１０をタブ８、８の下内側に折り返し、さらに端パネル２、２から切り出した押えタブ９、９を箱体の内側に折り曲げて、折返しフラップ１０、１０を押さえる。【選択図】      図１
2006076631.tif 000002
【特許請求の範囲】
【請求項１】
箱体の対向する一対の側面を構成する側パネル（１）、（１）と、箱体の対向する一対の端面を構成する端パネル（２）、（２）とを有し、前記側パネル（１）、（１）から延設された側上フラップ（４）、（４）と前記端パネル（２）、（２）から延設された端上フラップ（５）、（５）とを箱体の上面側に折り曲げて箱体の上面の中央部分を除くその周囲の部分が閉じられ、側上フラップ（４）、（４）と端パネル（２）、（２）との間の箱体上面の前記中央部分が部分的に開いている包装用箱において、側上フラップ（４）、（４）の両端側にタブ（８）、（８）を延設し、端上フラップ（５）、（５）の中央部分から折返しフラップ（１０）、（１０）を延設し、端パネル（２）、（２）の上部中央に箱体の内側に折り曲げ可能な押えタブ（９）、（９）を切り出し、箱体の上面側で前記側上フラップ（４）、（４）と前記端上フラップ（５）、（５）とを順次折り曲げて側上フラップ（４）、（４）の両端側とそのタブ（８）、（８）の上に端上フラップ（５）、（５）を重ねて箱体の上面周囲の部分を閉じ、端上フラップ（５）、（５）から延設された折返しフラップ（５）、（５）をタブ（８）、（８）の下内側に折り返し、さらに端パネル（２）、（２）から切り出した押えタブ（９）、（９）を箱体の内側に折り曲げて、折返しフラップ（５）、（５）を押さえることを特徴とする包装用箱。
【請求項２】
押えタブ（９）、（９）は端パネル（２）、（２）の上部中央を横コ字形に切り出してなり、押えタブ（９）、（９）の端パネル（２）、（２）に連なる基部の折線（１１）、（１１）が押えタブ（９）、（９）の先端側に向けて湾曲した曲線または直線からなることを特徴とする請求項１に記載の包装用箱。
【発明の詳細な説明】
【技術分野】
【０００１】
本発明は、箱体の対向する一対の側面を構成する側パネルと、箱体の対向する一対の端面を構成する端パネルとを有し、前記側パネルから延設された側上フラップと前記端パネルから延設された端上フラップとを箱体の上面側に折り曲げて箱体の上面が閉じられる包装用箱に関し、特に前記側上フラップと前記端パネルとの間の箱体の上面中央部分が部分的に開いている包装用箱に関する。
【背景技術】
【０００２】
従来におけるこの種の包装用箱のブランクは、段ボール板を打ち抜くと共に折線を入れて作られている。このブランクにおいては、一対の側パネルと端パネルとが折線を介して交互に連ねられている。また、側パネルと端パネルの上下の辺は折線となっており、その折線から箱体の上面と底面を閉じる上下のフラップが延設されている。
【０００３】
このような包装用箱において、箱体の底面側は、端パネルの下辺側の折線から延設された端底フラップと側パネルの下辺側の折線から延設された側底フラップとを順次箱体の上面側に折り曲げ、それら端底フラップと側底フラップとをフラップ同士の係合、接着、或いはステープル止め等の手段で固定する。また、箱体の上面側も同様で、端パネルの上辺側の折線から延設された端上フラップと側パネルの上辺側の折線から延設された側上フラップとを順次箱体の上面側に折り曲げ、それら端上フラップと側上フラップとを互いに固定して閉じる。
【０００４】
このような包装用箱では、通常は箱体の底面を閉じた状態で箱体の上面側から収納物を収納し、その後、箱体の上面と閉じるという箱詰め手順がとられる。これに対し、ネギ、蕗、ゴボウ等の長尺な作物やカーネーション等の花卉類の農作物の出荷用として使用される包装用箱では、まず箱体の上面側を閉じた後、底面側から出荷物を収納し、その後底面を閉じるという箱詰め手順がとられる。この場合に、箱体の底面側は、一対の側底フラップにステープルを打ち込んで固定することが多い。
【０００５】
ネギ等の生鮮野菜や花卉の出荷時の包装には、一般の生鮮野菜や生鮮果実等と同様に段ボール箱が使用される。ただしこの種の長尺産品の出荷に際しての段ボール箱包装において特異な点は、第一に、予め包装用箱の上面を閉じた状態で底面から収納物を包装用箱に収納した後、上面を閉じる点である。第二、収納物を収納した後閉じられる包装用箱の上面は、周囲の部分のみが覆われ、中央部分が開口された状態となる。これは長尺出荷物の特性を活かして市場での競り売り等での出荷物の確認を容易にするためである。
【０００６】
例えばこのような包装用箱の例としては、特開２００２−２８４１３８号に記載されたもの等がある。この従来の包装用箱は、箱体の側パネルの上辺から延設された側上フラップの両側に切込みを設けている。箱体の上面を閉じるためこの側上フラップを箱体の上面側に折り曲げ、さらに箱体の側パネルの上辺から延設された端上フラップのを箱体の上面側に折り曲げた後、端上フラップの両側角部を前記側上フラップの両側の切込みに差し込んで端上フラップを前記側上フラップに固定する。これにより、箱の上面を閉じた状態を維持する。
【０００７】
このような上面中央部が開いた箱体において最も問題となるのが、箱体上面でのフラップの固定状態の維持である。すなわち、この種の箱体では、上面中央部が開いており、箱体の周囲のみが閉じられ、フラップがそれらの端部のみで係止されることから、上面の封止構造が弱く、箱体の上面が開きやすい。特に、予め包装用箱の上面を閉じた状態で底面を上にしてそこから収納物を包装用箱に収納する時に、包装用箱体の上面が開いて収納しようとしている収納物が抜け落ちてしまうということがある。
【特許文献１】特開２００２−２８４１３８号公報
【発明の開示】
【発明が解決しようとする課題】
【０００８】
本発明はこのような上面中央部が開いており、箱体の周囲のみが閉じられた従来の包装用箱における課題に鑑み、箱体上面でのフラップの固定状態の維持が確実に行われ、特に、予め包装用箱の上面を閉じた状態で底面を上にしてそこから収納物を包装用箱に収納する時に、上面が閉じた状態を確実に維持することが出来る包装用箱を提供することを目的とする。
【課題を解決するための手段】
【０００９】
本発明では、前記の目的を達成するため、検討した結果、上側フラップ４、４と端上フラップ５、５とで箱体の上面中央部を除いた箱体の上面周囲部を閉じた状態で、箱体を上下逆にし、箱体の上面を下にした状態で箱体の開いた底面側から箱体の内部に収納物を収納するに際し、本発明では、箱体の上面周囲部を閉じた上側フラップ４、４と端上フラップ５、５とを、端パネル２、２に設けた押えタブ９、９で仮止めすることが出来るようにした。
【００１０】
すなわち包装用箱は、箱体の対向する一対の側面を構成する側パネル１、１と、箱体の対向する一対の端面を構成する端パネル２、２とを有し、前記側パネル１、１から延設された側上フラップ４、４と前記端パネル２、２から延設された端上フラップ５、５とを箱体の上面側に折り曲げて箱体の上面の中央部分を除くその周囲の部分が閉じられ、側上フラップ４、４と端パネル２、２との間の箱体上面の前記中央部分が部分的に開いているものである。
【００１１】
本発明では、このような包装用箱において、側上フラップ４、４の両端側にタブ８、８を延設し、端上フラップ５、５の中央部分から折返しフラップ１０、１０を延設し、端パネル２、２の上部中央に箱体の内側に折り曲げ可能な押えタブ９、９を切り出し、箱体の上面側で前記側上フラップ４、４と前記端上フラップ５、５とを順次折り曲げて側上フラップ４、４の両端側とそのタブ８、８の上に端上フラップ５、５を重ねて箱体の上面周囲の部分を閉じ、端上フラップ５、５から延設された折返しフラップ１０、１０をタブ８、８の下内側に折り返し、さらに端パネル２、２から切り出した押えタブ９、９を箱体の内側に折り曲げて、折返しフラップ１０、１０を押さえるものである。
【００１２】
このような包装用箱では、箱体の上面側で側上フラップ４、４と端上フラップ５、５とを順次折り曲げて側上フラップ４、４の両端側とそのタブ８、８の上に端上フラップ５、５を重ねて箱体の上面周囲の部分を閉じた状態で、さらに端上フラップ５、５から延された折返しフラップ１０、１０をタブ８、８の下内側に折り返し、さらに端パネル２、２から切り出した押えタブ９、９を箱体の内側に折り曲げて、折返しフラップ１０、１０を押さえることが出来るので、箱体の上面の周囲が閉じた状態を確実に保持し、開かないように維持することが出来る。これにより、箱体の底面側を開いた状態で、箱体の中に収納物を収納するときに、箱体の上面が抜けてしまうようなことがない。
【００１３】
箱体の中に或る程度の量の収納物を収納した後は、その収納物の重みで、端上フラップ５、５の折返しフラップ１０、１０が押さえられるので、押えタブ９、９が不要となる。そして、収納物の重みで押えタブ９、９が元に戻ることで、端パネル２、２の耐圧強度が弱くならない。押えタブ９、９が元に戻らず、若干押し込まれた状態では、端パネル２、２のその部分が浅い窪みとなり、この部分が箱体を取り扱うときに、指をかける部分となる得る。
【００１４】
さらに、押えタブ９、９は端パネル２、２の上部中央を横コ字形に切り出してなり、押えタブ９、９の端パネル２、２に連なる基部の折線１１、１１が押えタブ９、９の先端側に向けて湾曲した曲線または直線からなるようにする。こうすることにより、押えタブ９、９を箱体の内側に折り曲げたときに、押えタブ９、９が戻りにくく、折返しフラップ１０、１０を確実に押さえることが出来る。また押えタブ９、９を箱体の内側に押し込んだ時に、押えタブ９、９が若干横に湾曲するため、縦方向の耐圧荷重に対して押えタブ９、９の座屈強度が補強される。
【発明を実施するための最良の形態】
【００１５】
本発明では、箱体の上面周囲部を閉じた上側フラップ４、４と端上フラップ５、５とを、端パネル２、２に設けた押えタブ９、９で仮止めすることが出来るようにしするようにし、これにより箱体の中に収納物を収納するときの箱体の上面周囲の部分の開きを防止するようにした。
以下、このような本発明の実施例について、図面を参照しながら具体例を挙げて詳細に説明する。
【実施例１】
【００１６】
図１は、本発明の一実施例による包装用箱のブランクの展開図である。この包装用箱のブランクは紙製の波状のシートからなる中芯をライナーでラミネートした段ボール板を使用する。段ボール板を図１に実線で示すように打ち抜くと共に、破線で示すように折線を入れることにより、組み立て前のブランクが出来上がる。破線で示した折線は何れも図１の紙面に対して同じ方向に折り曲げられる。
【００１７】
図１に示す包装用箱のブランクでは、矩形の側パネル１、１と端パネル２、２とが折線を介して交互に連なっている。それら側パネル１、１と端パネル２、２の高さ、すなわち図１において左右の寸法は何れも同じであり、２つの側パネル１、１と端パネル２、２の幅、すなわち図１において上下の寸法はそれぞれ等しい。側パネル１、１の幅は、端パネル２、２の幅より大きい。側パネル１、１と端パネル２、２の高さと幅は、その収納物に応じて決定されることは言うまでもない。
【００１８】
端にある側パネル１の側辺からは、折線を介して接合フラップ３が延設されている。この接合フラップ３の幅は、端パネル２に比べて十分に狭い。
前記端パネル２、２の中央上部には横コ字形に切断線が入れられ、その切断線の中が押えタブ９、９として切り出されている。この横コ字形の切断線は下方に向けて開いており、従ってこの横コ字形の切断線により切り出された押えタブ９、９は、その下部で端パネル２、２に連なっている。この押えタブ９、９の端パネル２、２に連なった基部には、折線１１、１１が設けられている。この折線１１、１１は、上方、すなわち押えタブ９、９の先端側に向けて湾曲した円弧状のものである。
【００１９】
側パネル１、１の上辺である折線からは、側上フラップ４、４が延設されている。この側上フラップ４、４の長さ、すなわち図１において上下の寸法は、側パネル１、１の長さより若干狭い。またこの側上フラップ４、４の高さ、すなわち図１において左右の寸法は、端パネル２の幅の１／２より十分小さい。
この側上フラップ４、４の両端部分には、箱体の上面の幅方向、すなわち図１において右方向にタブ８、８が一体に延設されている。
【００２０】
端パネル２、２の上辺である折線からは端上フラップ５、５が延設されている。この端上フラップ５、５は、上下２段の部分からなっており、下段側が広く、上段側が狭くなっている。上段側は折返しフラップ１０、１０となっている。この折返しフラップ１０、１０の基部には、端上フラップ５、５と端パネル２、２との間の折線と平行に２本の折線が設けられている。
【００２１】
この端上フラップ５、５の下段部の幅、すなわち図１において上下の寸法は、端パネル２、２の幅より若干狭い。またこの端上フラップ５、５の下段部の高さ、すなわちその下段部の図１において左右の寸法は、前記側上フラップ４、４の高さとほぼ同じである。
他方、端パネル２、２の上段部である折返しフラップ１０、１０は下段部の中央にある。その上段部である折返しフラップ１０、１０の幅は、前記端上フラップ５、５の下段部の幅から前記端側フラップ４、４の２枚分の高さを除した寸法よりやや狭い。またこの折返しフラップ１０、１０の高さは、前記下段部の高さとほぼ同等かやや低い程度である。
【００２２】
側パネル１、１の下辺である折線からは、側底フラップ６、６が延設されている。この側底フラップ６、６の幅、すなわち図１において上下の寸法は、側パネル１、１の幅より若干狭い。またこの側上底フラップ６、６の高さ、すなわち図１において左右の寸法は、端フラップ２の幅の約１／２である。
【００２３】
この側底フラップ６、６の両側部分には、同側底フラップ６、６の中心に対して対称に、且つ側パネル１、１の中央に向けて側パネル１、１の下辺である折線に対して斜め約４５度の角度で切込み１３、１３が設けられている。さらにこの切込み１３、１３の先端側は、４５゜の角度で回り込むように側底フラップ６、６の両端側に向けて延びている。
【００２４】
この切込み１３、１３より側底フラップ６、６の両端側に寄った位置に、側パネル１、１の下辺である折線を起点として、同折線と直角にもう一対ずつの切込みが設けられている。この切込みと前記斜め４５゜の切込み１３、１３との間には、側パネル１、１の下辺である折線に近い側と遠い側とに、それぞれ折線が設けられている。これら折線は、側底フラップ６、６と側パネル１、１との折線と平行である。
【００２５】
端パネル２、２の下辺である折線からは、端底フラップ７、７が延設されている。この端底フラップ７、７の幅、すなわち図１において上下の寸法は、端パネル２、２の幅より若干狭く、またその高さ、すなわち図１において左右の寸法は、前記側底フラップ６、６と同じである。
【００２６】
この端底フラップ７、７の先端両側の角部は切り取られ、大きな面取りが施されている。この端底フラップ７、７の基部側、すなわち端パネル２、２の下辺である折線に近い側に同折線と平行に折線が設けられている。また、端底フラップ７、７の先端辺の中央には、指を掛けやすいように、半円弧状の指掛け用の切欠きが設けられている。
【００２７】
このようなブランクから包装用箱は次のようにして組み立てられ、その中に収納物が収納される。
まず、図２に示すように、側パネル１、１、端パネル２、２及び接合フラップ３の間にある折線を何れも９０゜の角度で谷折りする。さらに、接合フラップ３の外側面に糊を塗布し、この接合フラップ３の外側面を端パネル２の端縁部の内面に貼り付ける。これにより、図２に示すような側パネル１、１と端パネル２、２が交互に連なった四角筒状の胴部が形成される。
【００２８】
次に、図２に示すように、箱体の上面を上側にして、まず側上フラップ４、４をそれらの下辺の折線でそれぞれ箱体の上面内側に向けて約９０゜の角度で折り曲げる。その後、図２の手前側の端上フラップ５のように、端上フラップ５、５をそれらの下辺の折線でそれぞれ箱体の上面内側に向けて約９０゜の角度で折り曲げる。図２では、手前側の端上フラップ５のみを折り曲げた状態を示しているが、この図２に示す状態から、図２において奥側の端上フラップ５も同様にして折り曲げる。
【００２９】
次に図３に示すように、端上フラップ５、５の上段の折返しフラップ１０、１０を箱体の内側に向けて折返し、側上フラップ４、４の間に挿入し、さらにその側上フラップ４、４のタブ８、８の内側、すなわち図３において下側に重ねる。
その後、端パネル２、２の上部中央の押えタブ９、９を、その基部の折線１１から内側に押し込み、その先端を箱体の内側で前記折返しフラップ１０、１０の下に当て、その折返しフラップ１０、１０の折り返しが戻るのを押さえる。
【００３０】
次に、箱体の上面を下側にし、箱体の内側が見えるようにする。図４は、箱体の一方の端部の内側の上面側を示している。この部分において、図４に示すように、折線１１から端パネル２より箱の内側に押し込んだ押えタブ９の先端が折返しフラップ１０の図４において上に当たり、折返しフラップ１０が折れ戻るのを押さえる。これにより、端上フラップ５がその下段の部分と上段の前記折返しフラップ１０の部分とで側上フラップ４、４のタブ８、８を挟み込み、これら端上フラップ５と側上フラップ４、４との連結状態が保持される。すなわち、箱体の上面が閉じた状態が保持される。
【００３１】
なお、側上フラップ４、４の高さは、端パネル２、２の幅の１／２より小さく、端上フラップ５、５の高さは、側パネル１、１の長さの１／２より相当に小さいため、側上フラップ４、４と端上フラップ５、５とにより箱体の上面が閉じられたと言えども、これら側上フラップ４、４と端上フラップ５、５とに囲まれた箱体の上面中央部には、窓状の開口部が形成される。
【００３２】
このようにして箱体の上面が閉じられたら、箱体の底面側を上に向けた状態で箱体の中に長ネギ等の収納物を収納する。
箱体の中に収納物を収納した後、図５に示すように、側底フラップ６、６をその上辺である折線で箱体の底面内側に向けて約９０゜の角度で折り曲げ、箱体の上面の一部を閉じる。その後、図５に示すように、端底フラップ７、７をそれらの上辺の折線でそれぞれ箱体の底面内側に向けて約９０゜の角度で折り曲げる。この端底フラップ７、７の折り曲げに際しては、図５に示すように、端底フラップ７、７の両側先端角部を側底フラップ６、６の両側の切込み１３、１３から側底フラップ６、６の内側に差し込む。これにより、図５に示したように、側底フラップ６、６と端底フラップ７、７とが互いに連結され、且つこれら側底フラップ５、５と端底フラップ７、７とにより箱体の底面が閉じられる。
その後箱体を上下反転し、中央部が開口した箱体の上面を上に向けた状態で、収納物を収納した箱体が出荷のため搬送される。
【実施例２】
【００３３】
図６〜図８に示した包装用箱は、前述の実施例による包装用箱と基本的に同じであるが、この実施例では、端パネル２、２から切り出した押えタブ９、９の基部の折線１１、１１を、円弧状ではなく、上に湾曲するように台形状に形成したものである。それ以外は、図１〜図６により前述した実施例１の包装用箱と同じである。
このように、端パネル２、２から切り出した押えタブ９、９の基部の折線１１、１１は、上に湾曲する線によって形成すれば、その形状は任意である。
【図面の簡単な説明】
【００３４】
【図１】本発明の一実施例によるトレイ形包装用箱を組み立てる前のブランクを示す展開図である。
【図２】同実施例によるトレイ形包装用箱の上面を閉じる途中の状態を示す斜視図である。
【図３】同実施例によるトレイ形包装用箱の上面を閉じた状態を示す斜視図である。
【図４】同実施例によるトレイ形包装用箱の上面の端部内側を固定する手順を示す要部斜視図である。
【図５】同実施例によるトレイ形包装用箱を底面を閉じた状態を示す下から見た斜視図である。
【図６】本発明の他の実施例によるトレイ形包装用箱を組み立てる前のブランクを示す展開図である。
【図７】同実施例によるトレイ形包装用箱の上面を閉じた状態を示す斜視図である。
【図８】同実施例によるトレイ形包装用箱の上面の端部内側を固定した状態を示す要部斜視図である。
【符号の説明】
【００３５】
１    側パネル
２    端パネル
４    側上フラップ
５    端上フラップ
８    側上フラップのタブ
９    押えタブ
１０  端上フラップの折返しフラップ
１１  押えタブの折線
【図１】
2006076631.tif 000003
【図２】
2006076631.tif 000004
【図３】
2006076631.tif 000005
【図４】
2006076631.tif 000006
【図５】
2006076631.tif 000007
【図６】
2006076631.tif 000008
【図７】
2006076631.tif 000009
【図８】
2006076631.tif 000010